(57)【要約】【課題】セルフＰＯＳシステム又はセミセルフＰＯＳシステムの運用効率を向上させることのできる精算機を提供する。【解決手段】精算機１０は、第１収受部１０、第２収受部２００、を備える。第２収受部２００は、第１収受部１００の構成と異なる構成を有している。【選択図】図１
2018049540.tif 000002
【特許請求の範囲】
【請求項１】
以下を備える精算機：
第１収受部；
第２収受部、
ここで、前記第２収受部は、前記第１収受部の構成と異なる構成を有している。
【請求項２】
請求項１に記載の精算機であって、
前記第１収受部は、第１投入口を有し、
前記第２収受部は、第２投入口を有し、
前記第１投入口には、硬貨を投入可能であり、
前記第２投入口には、硬貨を投入可能であり、
第１の大きさを有する第１物体が前記第１投入口及び前記第２投入口を通過可能であり、
前記第１の大きさよりも大きい第２の大きさを有する第２物体が前記第２投入口を通過不可能である。
【請求項３】
請求項２に記載の精算機であって、
前記第１投入口は、第１開口と、前記第１開口よりも開口面積の小さい第２開口と、を有し、
前記第１物体が前記第２開口を通過可能であり、
前記第２物体が前記第２開口を通過不可能である。
【請求項４】
請求項２に記載の精算機であって、
前記第１投入口は、第１開口を有し、
前記第２投入口は、前記第１開口よりも開口面積の大きい第３開口を有し、
前記第１物体が前記第１開口を通過可能であり、
前記第２物体が前記第１開口を通過不可能である。
【請求項５】
請求項１に記載の精算機であって、
前記第１収受部は、第１投入口を有し、
前記第２収受部は、第２投入口を有し、
前記第１投入口には、紙幣を投入可能であり、
前記第２投入口には、紙幣を投入可能であり、
前記第２投入口には、前記第１投入口に投入される紙幣の向いている向きと異なる向きで紙幣を投入可能である。
【請求項６】
請求項５に記載の精算機であって、
前記第１投入口に紙幣を投入する際の水平方向に対する投入角度と前記第２投入口に紙幣を投入する際の水平方向に対する投入角度が異なる。
【請求項７】
請求項５に記載の精算機であって、
前記第１投入口には、紙幣の長手方向に沿って紙幣を投入可能であり、
前記第２投入口には、前記長手方向に垂直な方向に沿って紙幣を投入可能である。
【請求項８】
請求項１に記載の精算機であって、
第１タイミングでは、第１収受部が硬貨又は紙幣を収受可能であり、
第２タイミングでは、第２収受部が硬貨又は紙幣を収受可能である。
【請求項９】
請求項８に記載の精算機であって、
前記第１収受部は、第１投入口を有し、
前記第２収受部は、第２投入口を有し、
前記第１収受部は、前記第１投入口を介して硬貨又は紙幣を収受可能であり、
前記第２収受部は、前記第２投入口を介して硬貨又は紙幣を収受可能であり、
第１タイミングでは第１投入口が開いており、
第２タイミングでは第２投入口が開いている。
【請求項１０】
請求項１〜９のいずれか一項に記載の精算機であって、
前記第２収受部は、該精算機の側面のうち前記第１収受部が設けられている側面と異なる側面に設けられている。
【請求項１１】
請求項１に記載の精算機であって、
前記第１収受部は、第１投入口を有し、
前記第２収受部は、第２投入口を有し、
前記第２投入口には、前記第１投入口に投入可能な硬貨又は紙幣の枚数よりも多くの枚数の硬貨又は紙幣を同時に投入可能である。
【発明の詳細な説明】
【技術分野】
【０００１】
本発明は、精算機に関する。
【背景技術】
【０００２】
小売業においては、店員が顧客から商品代金を受け取って商品代金の精算処理を行う場合が多い。この場合、硬貨又は紙幣の投入口（以下、単に投入口ともいう）が店員側になるように精算機が設置される。
【０００３】
近年、精算機は、セルフpoint of sales（ＰＯＳ）システム又はセミセルフＰＯＳシステムでも用いられるようになっている。セルフＰＯＳシステム又はセミセルフＰＯＳシステムでは、投入口が顧客側になるように精算機が設置されており、顧客自身が商品代金を投入し、精算処理を行う。また、セルフＰＯＳシステム又はセミセルフＰＯＳシステムでは、精算機内の硬貨又は紙幣が不足しそうな場合（ニアエンド）又は満杯になりそうな場合（ニアフル）は、店員が顧客側に移動し、顧客側に設けられた投入口から硬貨又は紙幣の補充や回収を行う。
【０００４】
特許文献１及び２には、精算機の一例について記載されている。具体的には、特許文献１及び２では、１つの筐体に２つの精算機が搭載されている。２つの精算機は、互いに異なる方向を向いている。これにより、第１の顧客は、２つの精算機のうちの一方を用いて精算処理を行うことができ、第２の顧客は、２つの精算機のうちの他方を用いて精算処理を行うことができる。特許文献１及び２に記載の精算機においても、ニアエンド又はニアフルの場合は、店員が顧客側に移動し、顧客側に設けられた投入口から硬貨又は紙幣の補充や回収を行う。
【先行技術文献】
【特許文献】
【０００５】
【特許文献１】特許５８１１１２９５号公報
【特許文献２】特開２００４−３０７０３２号公報
【発明の概要】
【発明が解決しようとする課題】
【０００６】
関連技術の精算機では、ニアエンドやニアフルの場合に店員が顧客側に移動し、顧客側に設けられた投入口から硬貨又は紙幣の補充や回収を行っていた。そのため、店員が顧客側へ移動する時間や距離が無駄になっていた。また、店員が顧客の前で硬貨又は紙幣の補充を行うため、セキュリティ上の問題もあった。
【０００７】
本発明の目的の一例は、セルフＰＯＳシステム又はセミセルフＰＯＳシステムの運用効率を向上させることのできる精算機を提供することにある。
【課題を解決するための手段】
【０００８】
本発明の一例によれば、以下の精算機が提供される。
以下を備える精算機：
第１収受部；
第２収受部、
ここで、前記第２収受部は、前記第１収受部の構成と異なる構成を有している。
【発明の効果】
【０００９】
本発明の上記一例によれば、顧客及び店員により精算機の異なる投入口から硬貨又は紙幣を投入することが可能となり、セルフＰＯＳシステム又はセミセルフＰＯＳシステムの運用効率を向上させることができる。
【図面の簡単な説明】
【００１０】
【図１】第１の実施形態に係る精算機を第１収受部側から見た斜視図である。
【図２】図１に示した精算機を第２収受部側から見た斜視図である。
【図３】（ａ）は、第１投入口の第１例を示す平面図であり、（ｂ）は、第２投入口の第１例を示す平面図である。
【図４】（ａ）は、図３（ａ）のＡ−Ａ´断面図であり、（ｂ）は、図３（ｂ）のＢ−Ｂ´断面図である。
【図５】（ａ）は、第１投入口の第２例を示す平面図であり、（ｂ）は、第２投入口の第２例を示す平面図である。
【図６】（ａ）は、図５（ａ）のＡ−Ａ´断面図であり、（ｂ）は、図５（ｂ）のＢ−Ｂ´断面図である。
【図７】（ａ）は、第１投入口の第１例を説明するための斜視図であり、（ｂ）は、第２投入口の第１例を説明するための斜視図である。
【図８】（ａ）は、第１投入口の第２例を説明するための斜視図であり、（ｂ）は、第２投入口の第２例を説明するための斜視図である。
【図９】（ａ）は、第１投入口の第３例を説明するための斜視図であり、（ｂ）は、第２投入口の第３例を説明するための斜視図である。
【図１０】第１投入口及び第２投入口の動作の一例を説明するための図である。
【図１１】第１投入口及び第２投入口の動作の一例を説明するための図である。
【図１２】第１投入口及び第２投入口の動作の一例を説明するための図である。
【図１３】第１投入口及び第２投入口の動作の一例を説明するための図である。
【図１４】第１投入口及び第２投入口に硬貨を投入する方法の第１例を説明するための図である。
【図１５】第１投入口及び第２投入口に硬貨を投入する方法の第１例を説明するための図である。
【図１６】（ａ）は、図１４及び図１５に示した第１収納部において収納庫から第１払出口に硬貨を払い出す方法の一例を説明するための図であり、（ｂ）は、図１４及び図１５に示した第１収納部において収納庫から第２払出口に硬貨を払い出す方法の一例を説明するための図である。
【図１７】第１投入口及び第２投入口に硬貨を投入する方法の第２例を説明するための図である。
【図１８】第１投入口及び第２投入口に硬貨を投入する方法の第２例を説明するための図である。
【図１９】第１投入口及び第２投入口に硬貨を投入する方法の第３例を説明するための図である。
【図２０】第１投入口及び第２投入口に紙幣を投入する方法の第１例を説明するための図である。
【図２１】第１投入口及び第２投入口に紙幣を投入する方法の第１例を説明するための図である。
【図２２】第１投入口に紙幣を払い出す方法の第１例を説明するための図である。
【図２３】第２投入口に紙幣を払い出す方法の第１例を説明するための図である。
【図２４】第１投入口及び第２投入口に紙幣を投入する方法及び第１投入口及び第２投入口に紙幣を払い出す方法の第２例を説明するための図である。
【図２５】第１収受部及び第２収受部のそれぞれの向きの第１例を説明するための図である。
【図２６】第１収受部及び第２収受部のそれぞれの向きの第２例を説明するための図である。
【図２７】第１収受部及び第２収受部のそれぞれの向きの第３例を説明するための図である。
【図２８】第１収受部及び第２収受部のそれぞれの向きの第４例を説明するための図である。
【図２９】第１収受部、第２収受部及び収納部の関係の一例を説明するための図である。
【図３０】第２の実施形態にかかる精算機１０の構成を示す図である。
【図３１】精算機１０の動作モードの第１例を説明するための図である。
【図３２】精算機１０の動作モードの第２例を説明するための図である。
【図３３】図３２に示した表示部の画像の一例を説明するための図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
（第１の実施形態）
図１は、第１の実施形態に係る精算機１０を第１収受部１００側から見た斜視図である。図２は、図１に示した精算機１０を第２収受部２００側から見た斜視図である。精算機１０は、第１収受部１００、第２収受部２００及び収納部５００を備えている。第１収受部１００は、第１投入口１１０、第１投入口１２０及び第１払出口１３０を有している。第２収受部２００は、第２投入口２１０、第２投入口２２０及び第２払出口２３０を有している。収納部５００は、第１収納部３００及び第２収納部４００を有している。
【００１３】
第１投入口１１０と第２投入口２１０は、第１収納部３００を挟んで互いに反対側にある。第１投入口１１０及び第２投入口２１０のそれぞれには、硬貨を投入可能である。第１投入口１１０からの硬貨及び第２投入口２１０からの硬貨は、いずれも第１収納部３００の内部に収納される。
【００１４】
第１投入口１２０と第２投入口２２０は、第２収納部４００を挟んで互いに反対側にある、第１投入口１２０及び第２投入口２２０のそれぞれには、紙幣を投入可能である。第１投入口１２０からの紙幣及び第２投入口２２０からの紙幣は、いずれも第２収納部４００の内部に収納される。
【００１５】
第１払出口１３０と第２払出口２３０は、第１収納部３００を挟んで互いに反対側にある。第１払出口１３０及び第２払出口２３０のそれぞれからは、硬貨を払出し可能である。第１払出口１３０からの硬貨及び第２払出口２３０からの硬貨は、いずれも第１収納部３００の内部から供給される。
【００１６】
なお、第１投入口１２０及び第２投入口２２０のそれぞれからは、紙幣を払出し可能である。第１投入口１２０からの紙幣及び第２投入口２２０からの紙幣は、いずれも第２収納部４００の内部から供給される。
【００１７】
一例において、第１収受部１００は第１のユーザによって使用され、第２収受部２００は第２のユーザによって使用される。一例において、第１のユーザ及び第２のユーザは、それぞれ、顧客及び店員である。この例において、顧客は、硬貨を第１投入口１１０に投入することができ、紙幣を第１投入口１２０に投入することができ、硬貨を第１払出口１３０から受け取ることができ、紙幣を第１投入口１２０から受け取ることができる。一方、店員は、硬貨を第２投入口２１０に投入することができ、紙幣を第２投入口２２０に投入することができ、硬貨を第２払出口２３０から受け取ることができ、紙幣を第２投入口２２０から受け取ることができる。
【００１８】
図３（ａ）は、第１投入口１１０の第１例を示す平面図であり、図３（ｂ）は、第２投入口２１０の第１例を示す平面図である。図４（ａ）は、図３（ａ）のＡ−Ａ´断面図であり、図４（ｂ）は、図３（ｂ）のＢ−Ｂ´断面図である。第１投入口１１０は、第１開口１１２及び第２開口１１４を有している。第２投入口２１０は、第１開口２１２を有している。
【００１９】
図３及び図４に示す例では、第１の大きさを有する第１物体が第１投入口１１０を通過可能であり、第１の大きさよりも大きい第２の大きさを有する第２物体が第１投入口１１０を通過不可能である。これに対して、第１物体は第２投入口２１０を通過可能であり、第２物体は第２投入口２１０を通過可能である。第１物体は、例えば硬貨であり、第２物体は、例えば、硬貨以外の物（例えば、人間の指）である。このように、第１投入口１１０は、硬貨よりも大きな物を通過させない。すなわち、第１投入口１１０は、複数の物体の中から硬貨を選択的に通過させることができる。これに対して、第２投入口２１０は、硬貨の落下を妨げる部材を有していない。
【００２０】
より具体的には、第１物体は第１投入口１１０の第１開口１１２を通過可能であり、第２物体は第１投入口１１０の第１開口１１２を通過可能である。これに対して、第１物体は第１投入口１１０の第２開口１１４を通過可能であり、第２物体は第１投入口１１０の第２開口１１４を通過不可能である。言い換えると、第１投入口１１０の第２開口１１４は、複数の物体の中から硬貨を選択的に通過させるスリットとして機能している。一方、第１物体は第２投入口２１０の第１開口２１２を通過可能であり、第２物体は第２投入口２１０の第１開口２１２を通過可能である。さらに、第２収受部２００は、第１収受部１００の第２開口１１４に相当するスリットを有していない。
【００２１】
第１収受部１００は、複数の延伸部材１１６を有している。第２開口１１４は、互いに隣接する２つの延伸部材１１６によって画定されている。互いに隣接する２つの延伸部材１１６は、幅ｄの間隙（すなわち、第２開口１１４）を挟んで互いに対向している。一例において、幅ｄは、硬貨の直径よりも狭く、例えば２０ｍｍ未満である。この例においては、第２開口１１４の大きさは、人間の指よりも相当に小さい。このため、第１収受部１００の使用者が誤って第２開口１１４よりも奥に指を入れることが防止される。
【００２２】
図４に示す例において、延伸部材１１６の両側面は、延伸部材１１６の上端から下端に向かうにつれて外側に向けて傾いている。より具体的には、延伸部材１１６の断面形状は、角の丸まった三角形である。このため、延伸部材１１６上に硬貨が載ったとしても、硬貨は速やかに下方に落下する。
【００２３】
さらに、図４に示す例において、互いに隣接する延伸部材１１６のうち一方の上端は、他方の上端よりも高い位置にある。このため、互いに隣接する延伸部材１１６を硬貨が跨ったとしても、硬貨は速やかに下方に落下する。
【００２４】
一例において、第１投入口１１０は顧客によって使用され、第２投入口２１０は店員によって使用される。顧客は精算機１０の使用に慣れていないため、精算機の投入口の奥に誤って指を入れてしまうことがある。一方店員は、硬貨を補充するために精算機を用いることがあり、硬貨を補充する場合は、投入口に一度に多くの硬貨を投入したいとういうニーズが存在する。
【００２５】
第１の実施形態にかかる精算機１０によれば、第１投入口１１０が、スリットとして機能する第２開口１１４を有しているため、精算機１０の使用に慣れていない顧客が精算機１０を使用しても、顧客が誤って第１投入口１１０の奥に指を入れることが防止される。一方、第２収受部２００は、第１収受部１００の第２開口１１４に相当するスリットを有していないため、店員は、第２投入口２１０に一度に多くの硬貨を投入することができ、硬貨を補充する作業の効率が上がる。このように、精算機１０は、顧客及び店員のそれぞれにとって使いやすい投入口を有する。
【００２６】
図５（ａ）は、第１投入口１１０の第２例を示す平面図であり、図５（ｂ）は、第２投入口２１０の第２例を示す平面図である。図６（ａ）は、図５（ａ）のＡ−Ａ´断面図であり、図６（ｂ）は、図５（ｂ）のＢ−Ｂ´断面図である。第１投入口１１０は、第１開口１１２を有している。第１開口１１２は、第１収受部１００から露出している。第２投入口２１０は、第１開口２１２を有している。第１開口２１２は、第２収受部２００から露出している。
【００２７】
図５及び図６に示す例では、上記した第１物体が第１投入口１１０の第１開口１１２を通過可能であり、上記した第２物体が第１投入口１１０の第１開口１１２を通過不可能である。言い換えると、第１投入口１１０の第１開口１１２は、複数の物体の中から硬貨を選択的に通過させるスリットとして機能している。これに対して、第１物体が第２投入口２１０の第１開口２１２を通過可能であり、第２物体が第２投入口２１０の第１開口２１２を通過可能である。このため、第２投入口２１０（第１開口２１２）は、効率よく硬貨を通過させることができる。
【００２８】
第１開口１１２の形状は、長手方向を有しており、具体的には、一例において、２．０ｍｍ以上５．０ｍｍ以下の幅及び２５．０ｍｍ以上３０．０ｍｍ以下の長さを有している。この例において、第１開口１１２の大きさは相当に小さく、具体的には、複数の硬貨を一度に第１開口１１２に投入することはほぼ不可能である。また、第１収受部１００の使用者は、第１開口１１２よりも奥に指を入れることができない。
【００２９】
図７（ａ）及び図７（ｂ）は、紙幣Ｂの投入方向の一例を説明する図である。
【００３０】
第２投入口２２０には、第１投入口１２０に投入される紙幣Ｂの向いている向きと異なる向きで紙幣Ｂを投入可能である。具体的には、第１投入口１２０に紙幣Ｂを投入する際の水平方向に対する投入角度（第１角度）θ１と第２投入口２２０に紙幣Ｂを投入する際の水平方向に対する投入角度（第２角度）θ２が異なる。図７（ａ）に示す例では、第１投入口１２０には、水平方向に対して上方から紙幣Ｂを投入している。一方、図７（ｂ）に示す例では、第２投入口２２０には、水平方向に沿って紙幣Ｂを投入している。なお、水平方向に沿って紙幣Ｂを投入しているため、図７（ｂ）においては第２角度θ２が図示されていない。
【００３１】
一例において、第１角度θ１は、０°より大きく９０°以下である。第２角度θ２は、０°以上１０°以下である。図７（ａ）及び図７（ｂ）に示す例では、第１角度θ１は、第２角度θ２よりも大きい。第１角度θ１は、実質的に９０°であってもよい。一方、第２角度θ２は、実質的に０°であってもよい。
【００３２】
図７（ａ）に示す例では、紙幣Ｂは、紙幣Ｂの短手方向に沿って第１投入口１２０に投入されている。一般に、紙幣Ｂの短手方向に沿って紙幣Ｂを挿入する場合方が、紙幣Ｂの長手方向に沿って挿入する場合に比べて入金スピードが向上する。ただし、紙幣Ｂは、紙幣Ｂの長手方向に沿って第１投入口１２０に投入されてもよい。図７（ｂ）に示す例では、紙幣Ｂは、紙幣Ｂの短手方向に沿って第２投入口２２０に投入されている。ただし、紙幣Ｂは、紙幣Ｂの長手方向に沿って第２投入口２２０に投入されてもよい。
【００３３】
一例において、第１投入口１２０は顧客によって使用され、第２投入口２２０は店員によって使用される。第１投入口１２０には、水平方向に対して上方から紙幣Ｂを投入可能である。例えば精算機１０の使用に慣れていない顧客にとっては、水平方向に対して上方から紙幣を投入する方が、水平方向に投入するよりも投入しやすい。一方、精算機１０の使用に慣れている店員にとっては、紙幣Ｂを水平方向に投入することによって入金操作の効率が上がることが多い。また、水平方向に投入することによって紙面を見ながら投入することができるので、紙幣Ｂの向きをそろえて投入することができる。このよう、精算機１０は、顧客及び店員のそれぞれにとって使いやすい投入口を有する。
【００３４】
図８（ａ）及び図８（ｂ）は、紙幣Ｂの投入方向の一例を説明するための図である。
【００３５】
図８（ａ）に示す例では、第１投入口１２０には、紙幣Ｂの紙面を水平方向に対して垂直にした状態で紙幣Ｂの長手方向に沿って紙幣Ｂを投入する。一方、図８（ｂ）に示す例では、第２投入口２２０には、紙幣Ｂの紙面を水平にした状態で紙幣Ｂの短手方向に沿って紙幣Ｂを投入する。
【００３６】
図９（ａ）及び図９（ｂ）は、紙幣Ｂの投入方向の一例を説明するための図である。
【００３７】
図９（ａ）に示す例では、第１投入口１２０には、紙幣Ｂの紙面を水平にした状態で紙幣Ｂの長手方向に沿って紙幣Ｂを投入する。一方、図９（ｂ）に示す例では、第２投入口２２０には、紙幣Ｂの紙面を水平にした状態で紙幣Ｂの短手方向に沿って紙幣Ｂを投入する。
【００３８】
図１０及び図１１は、第１投入口１１０及び第２投入口２１０の動作の一例を説明するための図である。図１０及び図１１に示す例において、第１収受部１００はシャッタ１１８を有しており、第２収受部２００はシャッタ２１８を有している。制御器６１２がシャッタ１１８の開閉及びシャッタ２１８の開閉を制御している。
【００３９】
図１０に示すように、第１タイミングにおいて、制御器６１２は、シャッタ１１８を開かせ、シャッタ２１８を閉じさせている。これにより、第１投入口１１０は、第１タイミングで開いており、第２投入口２１０は、第１タイミングで閉じている。言い換えると、第１収受部１００は、第１タイミングにおいて、硬貨を収受可能であり、第２収受部２００は、第１タイミングにおいて、硬貨を収受不可能である。
【００４０】
図１１に示すように、第２タイミングにおいて、制御器６１２は、シャッタ１１８を閉じさせ、シャッタ２１８を開かせている。これにより、第１投入口１１０は、第２タイミングで閉じており、第２投入口２１０は、第２タイミングで開いている。言い換えると、第１収受部１００は、第２タイミングにおいて、硬貨を収受不可能であり、第２収受部２００は、第２タイミングにおいて、硬貨を収受可能である。
【００４１】
第１タイミングは、精算機１０が第１動作モードで動作している場合に、第１投入口１１０から投入された硬貨を搬送路が搬送するタイミングである。第２タイミングは、精算機１０が第２動作モードで動作している場合に、第２投入口２２０から投入された硬貨を搬送路が搬送するタイミングである。
【００４２】
動作モードは、精算機１０が備える制御部（不図示）により切り替えられる。
【００４３】
例えば、第１動作モードは顧客が精算処理を行う際に使用するモードである。また、第２動作モードは、店員が精算機１０内に硬貨又は紙幣を補充する際に使用するモードである。店員が精算機１０内の硬貨又は紙幣を回収する際に使用するモード（第３動作モード）があってもよい。なお、精算機１０の動作モードは、ここに記載したモードに限られない。
一例において、第１タイミングは、精算機１０が第１動作モードで動作している場合に第１のユーザ（例えば、顧客）が第１投入口１１０に投入した硬貨を搬送路が搬送するタイミングである。一方、第２タイミングは、精算機１０が第２動作モードで動作している場合に第２のユーザ（例えば、店員）が第２投入口２１０に投入した硬貨を搬送路が搬送するタイミングである。これにより、第１投入口１１０及び第２投入口２１０に同一タイミングで硬貨が投入されることが防止される。図１４及び図１５を用いて後述するように、第１投入口１１０と第２投入口２１０に同一タイミングで硬貨が投入されることが好ましくないことがある。図１０及び図１１に示す例では、第１投入口１１０と第２投入口２１０に同一タイミングで硬貨が投入されることが好ましくない場合に、第１収受部１００及び第２収受部２００が好適に動作している。
【００４４】
図１２及び図１３は、第１投入口１２０及び第２投入口２２０の動作の一例を説明するための図である。図１２及び図１３に示す例において、第１収受部１００はシャッタ１２８を有しており、第２収受部２００はシャッタ２２８を有している。制御器６１４がシャッタ１２８の開閉及びシャッタ２２８の開閉を制御している。
【００４５】
図１２に示すように、第１タイミングにおいて、制御器６１４は、シャッタ１２８を開かせ、シャッタ２２８を閉じさせている。これにより、第１投入口１２０は、第１タイミングで開いており、第２投入口２２０は、第１タイミングで閉じている。言い換えると、第１収受部１００は、第１タイミングにおいて、紙幣を収受可能であり、第２収受部２００は、第１タイミングにおいて、紙幣を収受不可能である。
【００４６】
図１３に示すように、第２タイミングにおいて、制御器６１４は、シャッタ１２８を閉じさせ、シャッタ２２８を開かせている。これにより、第１投入口１２０は、第２タイミングで閉じており、第２投入口２２０は、第２タイミングで開いている。言い換えると、第１収受部１００は、第２タイミングにおいて、紙幣を収受不可能であり、第２収受部２００は、第２タイミングにおいて、紙幣を収受可能である。
【００４７】
一例において、第１タイミングは、精算機１０が第１動作モードで動作している場合に、第１のユーザ（例えば、顧客）が第１投入口１２０に投入した紙幣を搬送路が搬送するタイミングである。一方、第２タイミングは、精算機１０が第２動作モードで動作している場合に、第２のユーザ（例えば、店員）が第２投入口２２０に投入した紙幣を搬送路が搬送するタイミングである。これにより、第１投入口１２０及び第２投入口２２０に同一タイミングで紙幣が投入されることが防止される。図２０及び図２１を用いて後述するように、第１投入口１２０と第２投入口２２０に同一タイミングで紙幣が投入されることが好ましくないことがある。図１２及び図１３に示す例では、第１投入口１２０と第２投入口２２０に同一タイミングで紙幣が投入されることが好ましくない場合に、第１収受部１００及び第２収受部２００が好適に動作している。
【００４８】
図１４及び図１５は、第１投入口１１０及び第２投入口２１０に投入された硬貨の搬送方法の第１例を説明するための図である。第１収納部３００は、複数の収納庫３０２及び搬送路３１０を有している。
【００４９】
複数の収納庫３０２は、互いに異なる種類の硬貨を収納する。図１４及び図１５に示す例において、第１収納部３００は、日本国で使用されることを予定している。このため、第１収納部３００は、６つの収納庫３０２、すなわち、１円硬貨用の収納庫３０２、５円硬貨用の収納庫３０２、１０円硬貨用の収納庫３０２、５０円硬貨用の収納庫３０２、１００円硬貨用の収納庫３０２及び５００円硬貨用の収納庫３０２を有している。
【００５０】
搬送路３１０は、第１投入口１１０及び第２投入口２１０の双方に通じている。図１４及び図１５に示す例において、搬送路３１０は、ベルト３１２、複数のピン３１４及び複数のローラ３１６を有している。複数のピン３１４は、ベルト３１２に取り付けられており、ベルト３１２に沿って等間隔に並んでいる。複数のローラ３１６は、ベルト３１２を回転させている。硬貨は、搬送路３１０内でピン３１４によって押されている。これにより、硬貨は、搬送路３１０に沿って移動している。
【００５１】
図１４に示すように、搬送路３１０は、精算機１０が第１動作モードで動作している場合に第１投入口１１０側から硬貨を搬送する。図１５に示すように、搬送路３１０は、精算機１０が第２動作モードで動作している場合に第２投入口２１０側から硬貨を搬送する。このように、図１４及び図１５に示す例では、第１投入口１１０から投入された硬貨を搬送するための搬送路及び第２投入口２１０から投入された硬貨を搬送するための搬送路を共通化し、精算機１０の動作モードによって搬送方向を変えている。このため、第１収納部３００の部品点数が少ないものになっている。これにより、第１収納部３００の大きさが大きくなることが抑制されている。
【００５２】
第１タイミング（図１４）において、第２投入口２１０は、図１０に示したように、閉じていてもよい。この場合、第１タイミング（すなわち、搬送路３１０が第１投入口１１０側から硬貨を搬送しているタイミング）に、第２投入口２１０から搬送路３１０に硬貨が供給されることを防止することができる。なお、第１タイミング（図１４）において、第１投入口１１０は、図１０に示したように、開いている。これにより、第１投入口１１０から搬送路３１０に硬貨を供給することができる。
【００５３】
第２タイミング（図１５）において、第１投入口１１０は、図１１に示したように、閉じていてもよい。この場合、第２タイミング（すなわち、搬送路３１０が第２投入口２１０側から硬貨を搬送しているタイミング）に、第１投入口１１０から搬送路３１０に硬貨が供給されることを防止することができる。なお、第２タイミング（図１５）において、第２投入口２１０は、図１１に示したように、開いている。これにより、第２投入口２１０から搬送路３１０に硬貨を供給することができる。
【００５４】
図１４及び図１５に示す例では、第１投入口１１０に投入された硬貨は、センサ３２０ａによって検出される。具体的には、第１投入口１１０からの硬貨は、ピッカローラ３２２ａ及びベルト３２４ａによって搬送路３１０に送られる。硬貨は、第１投入口１１０と搬送路３１０の間においてセンサ３２０ａを通過する。センサ３２０ａは、第１投入口１１０に投入された硬貨の枚数及び種類を検出する。
【００５５】
同様にして、第２投入口２１０に投入された硬貨は、センサ３２０ｂによって検出される。具体的には、第２投入口２１０からの硬貨は、ピッカローラ３２２ｂ及びベルト３２４ｂによって搬送路３１０に送られる。硬貨は、第２投入口２１０と搬送路３１０の間においてセンサ３２０ｂを通過する。センサ３２０ｂは、第２投入口２１０に投入された硬貨の枚数及び種類を検出する。
【００５６】
第１投入口１１０に投入された硬貨の金額及び第２投入口２１０に投入された硬貨の金額は、合算器６２２によって合算される。具体的には、合算器６２２は、センサ３２０ａの検出結果及びセンサ３２０ｂの検出結果に基づいて、第１投入口１１０に投入された硬貨の金額と第２投入口２１０に投入された硬貨の金額を合算する。例えば、精算機１０が第１動作モードで動作している場合に顧客が第１投入口１１０から投入した硬貨の金額と、精算機１０が第２動作モードで動作している場合に店員が第２投入口２１０から投入（補充）した硬貨の金額とが合算されることにより、精算機１０内の硬貨の合計金額を把握することができる。さらに、合算器６２２は、第１投入口１１０に払い出された硬貨の金額及び第２投入口２１０に払い出された硬貨の金額も合算可能である。なお、合算器６２２は、例えばプロセッサ、より具体的には例えばＣＰＵ（Ｃｅｎｔｒａｌ  Ｐｒｏｃｅｓｓｉｎｇ  Ｕｎｉｔ）である。
【００５７】
複数の硬貨は、複数のブレード３３０によって種類別に分類される。具体的には、複数のブレード３３０のそれぞれは、複数の収納庫３０２のそれぞれと重なっている。各ブレード３３０は、開閉可能となっている。ブレード３３０が閉じている場合、硬貨は、ブレード３３０の上方を通過することができる。ブレード３３０が開いている場合、硬貨は、ブレード３３０の直下の収納庫３０２に落下することができる。複数のブレード３３０のうちのいずれのブレード３３０を開くかは、センサ３２０ａの検出結果又はセンサ３２０ｂの検出結果に基づいて制御されている。
【００５８】
なお、不正な硬貨（例えば、変形した硬貨又は偽造硬貨）は、ブレード３３２ａ又はブレード３３２ｂによって搬送路３１０から排出される。具体的には、ブレード３３２ａ及びブレード３３２ｂは、開閉可能となっている。ブレード３３２ａが閉じている場合、第１投入口１１０からの硬貨は、ブレード３３２ａの上方を通過することができる。ブレード３３２ｂが閉じている場合、第２投入口２１０からの硬貨は、ブレード３３２ｂの上方を通過することができる。ブレード３３２ａが開いている場合、硬貨は、ブレード３３２ａの下方に落下して搬送路３１０から排出される。ブレード３３２ｂが開いている場合、硬貨は、ブレード３３２ｂの下方に落下して搬送路３１０から排出される。ブレード３３２ａの開閉は、センサ３２０ａの検出結果に基づいて制御されており、ブレード３３２ｂの開閉は、センサ３２０ｂの検出結果に基づいて制御されている。
【００５９】
図１６（ａ）及び図１６（ｂ）は、図１４及び図１５に示した第１収納部３００において収納庫３０２から第１払出口１３０又は第２払出口２３０に硬貨を払い出す方法の一例を説明するための図である。第１収納部３００は、払出路３５０及び可動板３５２を有している。払出路３５０は、収納庫３０２の下方にあり、言い換えると、収納庫３０２と重なっている。可動板３５２は、開閉可能である。
【００６０】
図１６（ａ）に示す例において、可動板３５２は、収納庫３０２と払出路３５０とが互いに遮断されるように閉じている。硬貨は、ローラ３４０によって収納庫３０２から送り出され、可動板３５２の上方を通過している。このようにして、硬貨は、第１払出口１３０に払い出される。
【００６１】
図１６（ｂ）に示す例において、可動板３５２は、収納庫３０２と払出路３５０とが互いに繋がるように開いている。硬貨は、ローラ３４０によって収納庫３０２から送り出され、払出路３５０に向けて落下する。硬貨は、例えばベルトによって払出路３５０に沿って搬送される。このようにして、硬貨は、第２払出口２３０から払い出される。
【００６２】
図１６（ａ）及び図１６（ｂ）に示す例では、収納庫３０２内の硬貨を第２払出口２３０に払い出すための搬送路（すなわち、払出路３５０）が収納庫３０２の下方にある。このため、第１払出口１３０と第２払出口２３０の間の距離を短くすることができる。このようにして、精算機１０の大きさが大きくなることが抑制されている。
【００６３】
図１７及び図１８は、第１投入口１１０及び第２投入口２１０に投入された硬貨の搬送方法の第２例を説明するための図である。図１７及び図１８に示す例においても、図１４及び図１５に示した例と同様にして、搬送路３１０は、精算機１０が第１動作モードで動作している場合に（図１７）第１投入口１１０側から硬貨を搬送し、精算機１０が第２動作モードで動作している場合に（図１８）第２投入口２１０側から硬貨を搬送する。
【００６４】
複数の収納庫３０２は、複数の収納庫３０２ａ及び複数の収納庫３０２ｂを含んでいる。複数の収納庫３０２ａは、第１収受部１００と複数の収納庫３０２ｂの間にある。複数の収納庫３０２ｂは、第２収受部２００と複数の収納庫３０２ａの間にある。一例において、収納庫３０２ａには、第１投入口１１０からの硬貨が収納され、収納庫３０２ｂには、第２投入口２１０からの硬貨が収納される。さらに、一例において、第１払出口１３０からの硬貨は、ローラ３４０ａ（ローラ３４０）によって収納庫３０２ａから供給され、第２払出口２３０からの硬貨は、ローラ３４０ｂ（ローラ３４０）によって収納庫３０２ｂから供給される。このようにして、図１７及び図１８に示す例では、硬貨を収納する領域が大きくなっている。
【００６５】
図１９は、第１投入口１１０及び第２投入口２１０に投入された硬貨の搬送方法の第３例を説明するための図である。
【００６６】
図１９に示す例では、第１投入口１１０からの硬貨は、搬送路３１０（搬送路３１０ａ）によって搬送され、収納庫３０２ａに収納される。第２投入口２１０からの硬貨は、搬送路３１０（搬送路３１０ｂ）によって搬送され、収納庫３０２ｂに収納される。
【００６７】
搬送路３１０ａは、第１投入口１１０に通じており、第２投入口２１０に通じていない。搬送路３１０ｂは、第２投入口２１０に通じており、第１投入口１１０に通じていない。このため、搬送路３１０ａ及び搬送路３１０ｂは、互いに独立して動作することができる。このため、第１投入口１１０及び第２投入口２１０に同じタイミングで硬貨を投入することができる。なお、精算機１０が第１動作モードで動作している場合に搬送路３１０ａにより第１投入口１１０側から硬貨又は紙幣を搬送し、精算機１０が第２動作モードで動作している場合に搬送路３１０ｂにより第２投入口２１０側から硬貨又は紙幣を搬送してもよい。
【００６８】
図２０及び図２１は、第１投入口１２０及び第２投入口２２０に投入された紙幣の搬送方法の第１例を説明するための図である。第２収納部４００は、複数の収納庫４０２及び搬送路４１０を有している。
【００６９】
複数の収納庫４０２は、互いに異なる種類の紙幣を収納する。図２０及び図２１に示す例において、第２収納部４００は、日本国で使用されることを予定している。このため、第２収納部４００は、３つの収納庫４０２、すなわち、１０００円札用の収納庫４０２、５０００円札用の収納庫４０２及び１００００円札用の収納庫４０２を有している。
【００７０】
搬送路４１０は、第１投入口１２０及び第２投入口２２０の双方に通じている。さらに、搬送路４１０は、複数の収納庫４０２のそれぞれに通じている。搬送路４１０は、例えばローラによって紙幣を搬送する。図２０に示すように、搬送路４１０は、精算機１０が第１動作モードで動作している場合に第１投入口１２０側から紙幣をする。図２１に示すように、搬送路４１０は、精算機１０が第２動作モードで動作している場合に第２投入口２２０側から紙幣を搬送する。このように、図２０及び図２１に示す例では、第１投入口１２０から投入された紙幣を搬送するための搬送路及び第２投入口２２０から投入された紙幣を搬送するための搬送路を共通化し、精算機１０の動作モードによって搬送方向を変えている。このため、第２収納部４００の部品点数が少ないものになっている。これにより、第２収納部４００の大きさが大きくなることが抑制されている。
【００７１】
第１タイミング（図２０）において、第２投入口２２０は、図１２に示したように、閉じていてもよい。この場合、第１タイミング（すなわち、搬送路４１０が第１投入口１２０側から紙幣を搬送しているタイミング）に、第２投入口２２０から搬送路４１０に紙幣が供給されることを防止することができる。なお、第１タイミング（図２０）において、第１投入口１２０は、図１２に示したように、開いている。これにより、第１投入口１２０から搬送路４１０に紙幣を供給することができる。
【００７２】
第２タイミング（図２１）において、第１投入口１２０は、図１３に示したように、閉じていてもよい。この場合、第２タイミング（すなわち、搬送路４１０が第２投入口２２０側から紙幣を搬送しているタイミング）に、第１投入口１２０から搬送路４１０に硬貨が供給されることを防止することができる。なお、第２タイミング（図２１）において、第２投入口２２０は、図１３に示したように、開いている。これにより、第２投入口２２０から搬送路４１０に紙幣を供給することができる。
【００７３】
図２０及び図２１に示す例では、第１投入口１２０に投入された紙幣は、センサ４２０ａによって検出される。具体的には、第１投入口１２０からの紙幣は、収納庫４０２に収納される前にセンサ４２０ａを通過する。センサ４２０ａは、第１投入口１２０に投入された紙幣の枚数及び種類を検出する。
【００７４】
同様にして、第２投入口２２０に投入された紙幣は、センサ４２０ｂによって検出される。具体的には、第２投入口２２０からの紙幣は、収納庫４０２に収納される前にセンサ４２０ｂを通過する。センサ４２０ｂは、第２投入口２２０に投入された紙幣の枚数及び種類を検出する。
【００７５】
第１投入口１２０に投入された紙幣の金額及び第２投入口２２０に投入された紙幣の金額は、合算器６２４によって合算される。具体的には、合算器６２４は、センサ４２０ａの検出結果及びセンサ４２０ｂの検出結果に基づいて、第１投入口１２０に投入された紙幣の金額と第２投入口２２０に投入された紙幣の金額を合算する。例えば、精算機が第１動作モードで動作している場合に顧客が第１投入口１２０から投入した紙幣の金額と、精算機１０が第２モードで動作している場合に店員が第２投入口２２０から投入（補充）した硬貨の金額とが合算されることにより、精算機１０内の紙幣の合計金額を把握することができる。さらに、合算器６２４は、第１投入口１２０に払い出された紙幣の金額及び第２投入口２２０に払い出された紙幣の金額を合算可能である。なお、合算器６２４は、例えばプロセッサ、より具体的には例えばＣＰＵ（Ｃｅｎｔｒａｌ  Ｐｒｏｃｅｓｓｉｎｇ  Ｕｎｉｔ）である。
【００７６】
第１タイミング（図２０）において、紙幣は、搬送路４１０を通じて収納庫４０２に収納される。複数の収納庫４０２のうち紙幣をいずれの収納庫４０２に収納するかは、センサ４２０ａの検出結果に基づいて制御されている。第２タイミング（図２１）において、紙幣は、搬送路４１０を通じて収納庫４０２に収納される。複数の収納庫４０２のうち紙幣をいずれの収納庫４０２に収納するかは、センサ４２０ｂの検出結果に基づいて制御されている。
【００７７】
図２２及び図２３は、第１投入口１２０又は第２投入口２２０に紙幣を払い出す方法の第１例を説明するための図である。図２２及び図２３に示す第２収納部４００は、図２０及び図２１に示した第２収納部４００と同様である。
【００７８】
図２２に示すように、第３タイミングにおいて、収納庫４０２からの紙幣は、センサ４３０を通過し、センサ４２０ａを通過し、第１投入口１２０から払い出される。収納庫４０２から払い出された紙幣は、センサ４３０によって検出される。具体的には、センサ４３０は、収納庫４０２から払い出された紙幣の枚数及び種類を検出する。
【００７９】
第３タイミング（図２２）において、第２投入口２２０は、図１２に示したように、閉じていてもよい。この場合、第３タイミング（すなわち、搬送路４１０が収納庫４０２から第１投入口１２０に向けて紙幣を搬送しているタイミング）に、第２投入口２２０から搬送路４１０に紙幣が供給されることを防止することができる。なお、第３タイミング（図２２）において、第１投入口１２０は、図１２に示したように、開いている。これにより、第１投入口１２０から紙幣を払い出すことができる。
【００８０】
図２３に示すように、第４タイミングにおいて、収納庫４０２からの紙幣は、センサ４３０を通過し、折り返して再びセンサ４３０を通過し、センサ４２０ｂを通過し、第２投入口２２０から払い出される。言い換えると、第１投入口１２０から払い出される紙幣及び第２投入口２２０から払い出される紙幣は、共通のセンサ（すなわち、センサ４３０）によって検出されている。このため、第２収納部４００の部品点数が少ないものになっている。これにより、第２収納部４００の大きさが大きくなることが抑制されている。
【００８１】
第４タイミング（図２３）において、第１投入口１２０は、図１３に示したように、閉じていてもよい。この場合、第４タイミング（すなわち、搬送路４１０が収納庫４０２から第２投入口２２０に向けて紙幣を搬送しているタイミング）に、第１投入口１２０から搬送路４１０に紙幣が供給されることを防止することができる。なお、第４タイミング（図２３）において、第２投入口２２０は、図１３に示したように、開いている。これにより、第２投入口２２０から紙幣を払い出すことができる。
【００８２】
一例において、第３タイミングは、精算機１０が第１動作モードで動作している場合に第１投入口１２０に紙幣を払い出すタイミングである。一方、第４タイミングは、精算機１０が第３動作モード（店員が精算機１０内の硬貨又は紙幣を回収する際に使用するモード）で動作している場合に第２投入口２２０に紙幣を払い出すタイミングである。これにより、第１投入口１２０及び第２投入口２２０に同一タイミングで紙幣が払い出されることが防止される。
【００８３】
図２４は、第１投入口１２０及び第２投入口２２０に投入された紙幣の搬送方法及び第１投入口１２０及び第２投入口２２０に紙幣を払い出す方法の第２例を説明するための図である。
【００８４】
図２４に示す例では、第１投入口１２０からの紙幣は、搬送路４１０（搬送路４１０ａ）によって搬送され、収納庫４０２（収納庫４０２ａ）に収納される。第１投入口１２０に投入された紙幣は、センサ４２０ａによって検出される。第２投入口２２０からの紙幣は、搬送路４１０（搬送路４１０ｂ）によって搬送され、収納庫４０２（収納庫４０２ｂ）に収納される。第２投入口２２０に投入された紙幣は、センサ４２０ｂによって検出される。
【００８５】
さらに、図２４に示す例では、収納庫４０２ａからの紙幣は、搬送路４１０ａによって搬送され、第１投入口１２０に払い出される。収納庫４０２ａから払い出された紙幣は、センサ４３０（センサ４３０ａ）によって検出される。収納庫４０２ｂからの紙幣は、搬送路４１０ｂによって搬送され、第２投入口２２０に払い出される。収納庫４０２ｂから払い出された紙幣は、センサ４３０（センサ４３０ｂ）によって検出される。
【００８６】
搬送路４１０ａは、第１投入口１２０に通じており、第２投入口２２０に通じていない。搬送路４１０ｂは、第２投入口２２０に通じており、第１投入口１２０に通じていない。このため、搬送路４１０ａ及び搬送路４１０ｂは、互いに独立して動作することができる。このため、第１投入口１２０及び第２投入口２２０に同じタイミングで紙幣を投入することができる。さらに、第１投入口１２０及び第２投入口２２０に同じタイミングで紙幣を払い出すことができる。さらに、搬送路４１０ａが第１投入口１２０から収納庫４０２ａに紙幣を搬送している間に、搬送路４１０ｂが収納庫４０２ｂから第２投入口２２０に紙幣を搬送することができる。同様にして、搬送路４１０ｂが第２投入口２２０から収納庫４０２ｂに紙幣を搬送している間に、搬送路４１０ａが収納庫４０２ａから第１投入口１２０に紙幣を搬送することができる。
【００８７】
図２５は、第１収受部１００及び第２収受部２００のそれぞれの向きの第１例を説明するための図である。図２５に示す例において、第２収受部２００は、精算機１０の側面のうち、第１収受部１００が設けられている側面と異なる側面に設けられている。具体的には、図１及び図２に示した例と同様にして、第２収受部２００は、第１収受部１１０に略対向する位置に設けられている。また、例えば第２収受部は、第１収受部１００の向いている方向と実質的に１８０°（例えば、１７０°以上１９０°以下）異なる方向を向いている。図２５に示す精算機１０は、顧客が店員の正面に立って精算処理を行う場合、好適に用いられる。
【００８８】
図２６は、第１収受部１００及び第２収受部２００のそれぞれの向きの第２例を説明するための図である。図２６に示す例において、第２収受部２００は、第１収受部１００の向いている方向と異なる方向を向いている。具体的には、第２収受部２００は、精算機１０の側面のうち第１収受部１００が設けられた側面を含む平面に略直交する側面に設けられている。第２収受部２００は、第１収受部１００の向いている方向と実質的に９０°（例えば、８０°以上１００°以下）異なる方向を向いている。図２６に示す精算機１０は、顧客が店員の側方に立って精算処理を行う場合、好適に用いられる。
【００８９】
図２７は、第１収受部１００及び第２収受部２００のそれぞれの向きの第３例を説明するための図である。収納部５００は、収納部５００ａ及び収納部５００ｂを有している。第１収受部１００は、収納部５００ａに設けられており、第２収受部２００は、収納部５００ｂに設けられている。収納部５００ａと収納部５００ｂは、互いに重なっており、具体的には、収納部５００ｂ上に収納部５００ａが重ねられている。ただし、収納部５００ａ上に収納部５００ｂが重ねられてもよい。さらに、第２収受部２００は、第１収受部１００と異なる方向を向いており、具体的には、第１収受部１００と実質的に９０°異なる方向を向いている。図２６に示す例においても、搬送路は、第１収受部１００の第１投入口及び第２収受部２００の第２投入口の双方に通じている。
【００９０】
図２８は、第１収受部１００及び第２収受部２００のそれぞれの向きの第４例を説明するための図である。精算機１０は、複数の第１収受部１００、すなわち第１収受部１００ａ及び第１収受部１００ｂを備えている。第１収受部１００ａと第１収受部１００ｂは、互いに反対側に位置している。第２収受部２００は、第１収受部１００ａ及び第１収受部１００ｂの双方と異なる方向を向いており、より具体的には、第１収受部１００ａ及び第１収受部１００ｂと実質的に９０°異なる方向を向いている。図２８に示す例では、一例において、店員が第２収受部２００を用いることができ、一人の顧客が第１収受部１００ａを用いることができ、もう一人の顧客が第１収受部１００ｂを用いることができる。
【００９１】
図２９は、第１収受部１００、第２収受部２００及び収納部５００の関係の一例を説明するための図である。図２９に示す例において、収納部５００は、筐体５０２及び本体５０４を有している。本体５０４は、筐体５０２から引き出し可能になっている。第１収受部１００は、筐体５０２に取り付けられている。第２収受部２００は、本体５０４に取り付けられている。このため、第１収受部１００は、筐体５０２から引き出し不可能であり、第２収受部２００は、筐体５０２から引き出し可能になっている。
【００９２】
一例において、第１収受部１００は、顧客によって使用され、第２収受部２００は店員によって使用される。店員は、本体５０４を検査することがある。このため、第２収受部２００が筐体５０２から引き出し可能であることは、店員にとって好ましい。一方、顧客が本体５０４を検査することはほぼない。さらに、顧客が本体５０４に触れることが好ましくないことがある。このような場合、第１収受部１００が筐体５０２から引き出し不可能であることは好ましい。
【００９３】
本実施形態によれば、第２収受部２００は、第１収受部１００の構成と異なる構成を有している。このため、顧客及び店員により精算機の異なる投入口から硬貨又は紙幣を投入することが可能となり、セルフＰＯＳシステム又はセミセルフＰＯＳシステムの運用効率を向上させることができる。より具体的には、精算機１０がニアエンドやニアフルの状態になっても、店員側に設けられた投入口から硬貨又は紙幣を補充又は回収することができ、店員の移動の手間やセキュリティ上の問題が解消される。また、精算機１０は、顧客及び店員が共通の精算機に硬貨又は紙幣を投入する場合に、顧客及び店員の双方にとって使いやすい構成を提供することができる。
【００９４】
（第２の実施形態）
図３０は、第２の実施形態にかかる精算機１０の構成を示す図である。精算機１０は、第１収受部１００、第２収受部２００、搬送路３１０及び制御部７００を備える。精算機１００は、セルフＰＯＳシステム又はセミセルフＰＯＳシステムで用いられる精算機である。
【００９５】
第１収受部１００は、第１投入口１０２を有する。第２収受部２００は、第２投入口２０２を有する。
【００９６】
搬送路３１０は、第１投入口１０２及び前記第２投入口２０２の双方に通じており、精算機１０が第１動作モードで動作している場合に第１投入口１０２側から硬貨又は紙幣を搬送し、精算機１０が第２動作モードで動作している場合に第２投入口２０２側から硬貨又は紙幣を搬送する。
【００９７】
制御部７００は、精算機１０の動作モードを切り替える。また、制御部７００は、第１の実施形態における制御器６１２及び制御器６１４の機能を有することができる。
【００９８】
ここで、精算機１０の動作モードには、例えば顧客が精算処理を行う際に使用するモードと、店員が精算機１０内に硬貨又は紙幣を補充する際に使用するモードがある。また、店員が精算機１０内の硬貨又は紙幣を回収する際に使用するモードがあってもよい。なお、精算機１０の動作モードは、ここに記載したモードに限られない。
【００９９】
本実施形態では、例えば顧客が第１収受部１００を使用し、店員が第２収受部２００を使用する。そして、例えば第１動作モードは顧客が精算処理を行う際に使用するモードであり、第２動作モードは店員が精算機１０内に硬貨又は紙幣を補充する際に使用するモードである。
【０１００】
図３１は、精算機１０の動作モードの第１例を説明するための図である。精算機１０は、複数の発光部、すなわち、発光部７１２及び発光部７１４を備えている。発光部７１２及び発光部７１４は、例えばLight emitting diodeにより実現される。発光部７１２は、第１収受部１００側に位置しており、発光部７１４は、第２収受部２００側に位置している。顧客が第１収受部１００を使用し、店員が第２収受部２００を使用する場合、顧客及び店員は、発光部７１２の発光状態及び発光部７１４の発光状態によって、精算機１０の動作モードを判断することができる。
【０１０１】
一例において、第１動作モード（図３０を用いて説明した例では、第１投入口１０２側から硬貨又は紙幣が搬送されているモード）では、発光部７１２から光を発し、発光部７１４からは光を発せず、第２動作モード（図３０を用いて説明した例では、第２投入口２０２側から硬貨又は紙幣が搬送されているモード）では、発光部７１２からは光を発せず、発光部７１４から光を発するようにする。この例においては、顧客は、顧客に近い側の発光部（すなわち、発光部７１２）から光が発せられている場合は、第１収受部１００を使用可能であると判断することができる。また、顧客又は店員は、第１収受部１００が使用中であることを知ることができる。一方、店員は、店員に近い側の発光部（すなわち、発光部７１４）から光が発せられている場合は、第２収受部２００を使用可能であると判断することができる。また、顧客又は店員は、第２収受部２００が使用中であることを知ることができる。
【０１０２】
図３２は、精算機１０の動作モードの第２例を説明するための図である。精算機１０は、複数の表示部、すなわち、表示部７２２及び表示部７２４を備えている。表示部７２２は、第１収受部１００側に位置しており、表示部７２４は、第２収受部２００側に位置している。顧客が第１収受部１００を使用し、店員が第２収受部２００を使用する場合、顧客及び店員は、表示部７２２の表示状態及び表示部７２４の表示状態によって、精算機１０の動作モードを判断することができる。
【０１０３】
図３３は、図３２に示した表示部７２２及び表示部７２４の画像の一例を説明するための図である。図３３において、精算機１０（図３２）は、第１動作モード（図３０を用いて説明した例では、第１投入口１０２側から硬貨又は紙幣が搬送されているモード）にある。図３３に示すように、表示部７２２は、第１収受部１００（図３２）が使用可能であることを意味する画像を表示し、表示部７２４は、第２収受部２００（図３２）が使用不可能であることを意味する画像を表示する。顧客は、表示部７２２に表示された画像に基づいて、第１収受部１００が使用可能であることを判断することができる。一方、店員は、表示部７２４に表示された画像に基づいて、第２収受部２００が使用不可能であることを判断することができる。表示部７２２及び表示部７２４において、第１収受部１００又は第２収受部２００が使用中であることを表示することもできる。また、顧客又は店員の双方が視認可能な位置に共通の表示部を設け、第１収受部１００又は第２収受部２００のいずれかが使用可能又は使用中であることを表示してもよい。
【０１０４】
本実施形態の精算機１０では、第１投入口１０２から投入された硬貨又は紙幣を搬送するための搬送路３１０及び第２投入口２０２から投入された硬貨又は紙幣を搬送するための搬送路３１０を共通化し、精算機１０の動作モードによって搬送方向を変えている。これにより、顧客及び店員により精算機１０の異なる投入口から硬貨又は紙幣を投入することが可能となり、セルフＰＯＳシステム又はセミセルフＰＯＳシステムの運用効率を向上させることができる。より具体的には、精算機１０がニアエンドやニアフルの状態になっても、店員側に設けられた投入口から硬貨又は紙幣を補充又は回収することができ、店員の移動の手間やセキュリティ上の問題が解消される。
【０１０５】
以上、図面を参照して本発明の実施形態について述べたが、これらは本発明の例示であり、上記以外の様々な構成を採用することもできる。
【符号の説明】
【０１０６】
１０  精算機
１００  第１収受部
１１０  第１投入口
１１２  第１開口
１１４  第２開口
１２０  第１投入口
１３０  第１払出口
２００  第２収受部
２１０  第２投入口
２１２  第１開口
２２０  第２投入口
２３０  第２払出口
３００  第１収納部
３０２  収納庫
３０２ａ  収納庫
３０２ｂ  収納庫
３１０  搬送路
３１０ａ  搬送路
３１０ｂ  搬送路
３１２  ベルト
３１４  ピン
３１６  ローラ
３２０ａ  センサ
３２０ｂ  センサ
３２２ａ  ピッカローラ
３２２ｂ  ピッカローラ
３２４ａ  ベルト
３２４ｂ  ベルト
３３０  ブレード
３３２ａ  ブレード
３３２ｂ  ブレード
３４０  ローラ
３４０ａ  ローラ
３４０ｂ  ローラ
３５０  払出路
３５２  可動板
４００  第２収納部
４０２  収納庫
４０２ａ  収納庫
４０２ｂ  収納庫
４１０  搬送路
４１０ａ  搬送路
４１０ｂ  搬送路
４２０ａ  センサ
４２０ｂ  センサ
４３０  センサ
４３０  再びセンサ
４３０ａ  センサ
４３０ｂ  センサ
５００  収納部
５０２  筐体
５０４  本体
６１２  制御器
６１４  制御器
６２２  合算器
６２４  合算器
７００  制御部
７１２  発行部
７１４  発行部
７２２  表示部
７２４  表示部
【図１】
2018049540.tif 000003
【図２】
2018049540.tif 000004
【図３】
2018049540.tif 000005
【図４】
2018049540.tif 000006
【図５】
2018049540.tif 000007
【図６】
2018049540.tif 000008
【図７】
2018049540.tif 000009
【図８】
2018049540.tif 000010
【図９】
2018049540.tif 000011
【図１０】
2018049540.tif 000012
【図１１】
2018049540.tif 000013
【図１２】
2018049540.tif 000014
【図１３】
2018049540.tif 000015
【図１４】
2018049540.tif 000016
【図１５】
2018049540.tif 000017
【図１６】
2018049540.tif 000018
【図１７】
2018049540.tif 000019
【図１８】
2018049540.tif 000020
【図１９】
2018049540.tif 000021
【図２０】
2018049540.tif 000022
【図２１】
2018049540.tif 000023
【図２２】
2018049540.tif 000024
【図２３】
2018049540.tif 000025
【図２４】
2018049540.tif 000026
【図２５】
2018049540.tif 000027
【図２６】
2018049540.tif 000028
【図２７】
2018049540.tif 000029
【図２８】
2018049540.tif 000030
【図２９】
2018049540.tif 000031
【図３０】
2018049540.tif 000032
【図３１】
2018049540.tif 000033
【図３２】
2018049540.tif 000034
【図３３】
2018049540.tif 000035